(57)【要約】【課題】特注要素としての音情報をどのようなタイミングで出力させるかを消費者が指定できるようにする。【解決手段】音情報をどのようなタイミング（ある日付のある時刻など）で出力させるかの条件設定を行うとともにそのタイミングにおいて出力させる音情報を設定する音情報設定を行い（ステップＳ２１，Ｓ２２）、これら設定したタイミングと音情報の確認を行って（ステップＳ２３）、設定内容に修正があるか否かを判断し（ステップＳ２４）、修正がなければ、それ以外の追加要素（設定すべき音情報やその条件設定）があるか否かを確認して、追加しない場合には、処理を終了し、追加したければステップＳ２１に戻る。また、ステップＳ２４において、修正がある場合もステップＳ２１に戻る。このようにして、音情報を出力させるタイミングを制御する音情報制御プログラムを作成し、その音情報作成プログラムと出力すべき音情報とを特注商品に記録させる。【選択図】      図３
2004240677.tif 000002
【特許請求の範囲】
【請求項１】
ある商品に付加価値を持たせるための要素としての音情報を、消費者側からの発注内容に基づいて当該商品に付加してなる特注商品を作成し、作成された特注商品を当該消費者に提供可能とする特注商品作成システムであって、
前記特注商品を受注する特注商品受注側は、前記消費者の指定した条件に基づいて前記音情報の出力タイミングの制御を行う音情報制御プログラムを作成し、その音情報制御プログラムを当該特注商品に組み込むことを特徴とする特注商品作成システム。
【請求項２】
前記消費者の指定した条件は、
前記特注商品が時刻情報を取得、保持、出力可能な機能のうちの少なくとも１つの機能を有する場合にあっては、ある日付のある時刻にどのような音情報を出力させるか、ある曜日のある時刻にどのような音情報を出力させるか、日ごとのある時刻にどのような音情報を出力させるかであり、
前記特注商品が自然現象や物理現象を検知可能なセンサを有する場合にあっては、これら自然現象や物理現象を示す値がある条件を満たしたときにどのような音情報を出力するかであって、
これらの各条件の少なくとも１つを設定可能とすることを特徴とする請求項１記載の特注商品作成システム。
【請求項３】
前記音情報は、前記消費者がその音情報の指定後にその音情報を試聴可能とすることを特徴とする請求項１または２記載の特注商品作成システム。
【請求項４】
前記消費者の指定した条件が複数存在し、かつ、それぞれの条件の音情報出力タイミングが同日の同時刻となるときは、発生頻度の少ない条件の音情報出力タイミングを優先し、その音情報出力タイミングに設定された音情報を出力させることを特徴とする請求項２または３記載の特注商品作成システム。
【請求項５】
前記特注商品受注側は、前記特注商品を受注するための特注商品受注サイトとしての機能を有するサーバと、前記消費者側から音情報出力タイミングを指定する情報とそのときに出力すべき音情報の設定がなされると、その音情報の出力タイミングを制御する音情報制御プログラムを生成する音情報制御プログラム作成手段と、前記消費者が指定した音情報に対応する音データを生成する音データ生成部と、前記音情報制御プログラム作成手段で作成された音情報制御プログラムと前記音データ生成手段で生成された音データとを当該特注商品に設けられた記憶手段への書き込みデータとして出力する書き込みデータ出力手段とを有することを特徴とする請求項１から４のいずれか１項に記載の特注商品作成システム。
【請求項６】
ある商品に付加価値を持たせるための要素としての音情報を、消費者側からの発注内容に基づいて当該商品に付加してなる特注商品を作成し、作成された特注商品を当該消費者に提供可能とする特注商品作成処理プログラムであって、その特注商品作成処理プログラムは、
前記特注商品の発注を行うに必要なデータの入力を可能とする発注データ入力表を前記消費者に提示する手順と、
この発注データ入力表に対し、前記消費者によって音情報出力タイミングを指定する情報とそのときに出力すべき音情報の設定がなされると、その音情報の出力タイミングを制御する音情報制御プログラムを作成して、その音情報制御プログラムと前記音情報を当該特注商品に設けられた記憶手段に記憶させる手順と、
を含むことを特徴とする特注商品作成処理プログラム。
【請求項７】
前記消費者の指定した条件は、
前記特注商品が時刻情報を取得、保持、出力可能な機能のうちの少なくとも１つの機能を有する場合にあっては、ある日付のある時刻にどのような音情報を出力させるか、ある曜日のある時刻にどのような音情報を出力させるか、日ごとのある時刻にどのような音情報を出力させるかであり、
前記特注商品が自然現象や物理現象を検知可能なセンサを有する場合にあっては、これら自然現象や物理現象を示す値がある条件を満たしたときにどのような音情報を出力するかであって、
これらの各条件の少なくとも１つを設定可能とすることを特徴とする請求項６記載の特注商品作成処理プログラム。
【請求項８】
前記音情報は、前記消費者がその音情報の指定後にその音情報を試聴可能とすることを特徴とする請求項６または７記載の特注商品作成処理プログラム。
【請求項９】
前記消費者の指定した条件が複数存在し、かつ、それぞれの条件の音情報出力タイミングが同日の同時刻となるときは、発生頻度の少ない条件の音情報出力タイミングを優先し、その音情報出力タイミングに設定された音情報を出力させることを特徴とする請求項７または８記載の特注商品作成処理プログラム。
【請求項１０】
ある商品に付加価値を持たせるための要素としての音情報を、消費者側からの発注内容に基づいて当該商品に付加してなる特注要素としての音情報を記録した機器であって、
前記消費者の設定した音情報とその音情報の出力タイミングを制御する音情報制御プログラムを記録する記憶手段と、前記音情報の出力タイミングを検出する音情報出力タイミング検出手段と、この音情報出力タイミング検出手段によって得られたタイミングで前記記憶手段から読み出された音情報を音信号として出力する音信号生成手段と、この音信号生成手段で生成された音信号を音として出力する音出力手段とをその構成要素に含むことを特徴とする特注要素としての音情報を記録した機器。
【発明の詳細な説明】
【０００１】
【発明の属する技術分野】
本発明は、特注要素としての音情報を埋め込み可能とした特注商品作成システムおよび特注商品作成処理プログラムならびに特注要素としての音情報を記録した機器に係わり、特に、埋め込まれた音情報を出力させるための音情報出力プログラムを消費者が指定できる特注商品作成システムおよび特注商品作成処理プログラムならびに特注要素としての音情報を記録した機器に関する。
【０００２】
【従来の技術】
近年、消費者の好みの多様化に対応できるように、同じ商品であっても色や図柄などを消費者が細かく指定できる商品も多い。
【０００３】
たとえば、所定のカタログの中から消費者がある商品を購入するような場合、予め用意されたデザインや機能の中から消費者が自分の好みのものを選択することができるのはよく知られている。
【０００４】
しかし、このシステムはあくまで幾つかの選択肢の組み合わせであり、多様な好みを有する消費者の要望を満たすに至らないことが多い。
【０００５】
そこで、最近では、消費者自身が自分の好みに合ったオリジナルデザインの製品をメーカに特注できるシステムもある。たとえば、特開２０００−２０５８９号公報に記載の「時計デザイン作成システム及びその方法」（以下、特許文献１という）もその１つである。
【０００６】
この特許文献１に記載の発明は、消費者がインタネットなどの通信手段を介して、たとえば、時計メーカに特注サービスを要求すると、その時計メーカでは、デザイン仕様を記録したデザイン情報をその消費者に送り、消費者はそのデザイン情報から必要なデータを読み出し、自分の好みに合ったオリジナルデザイン仕様を作成し、時計メーカに送信する。これによって、時計メーカ側では消費者から送られてきたデザイン仕様に基づいて時計を製作して、完成品を消費者に送るというシステムである。
【０００７】
このようなシステムとすることによって、消費者は自分の好みに合ったオリジナルデザインの商品を入手することができる。
【０００８】
また、このような特注商品を作成するシステムをさらに進めたものとして、たとえば、特開２００２−２１５７１６号公報（以下、特許文献２という）や特開２００１−２４３２９２号公報（以下、特許文献３という）に記載の発明がある。これら特許文献２や特許文献３には、ユーザが製造メーカの製造装置に直接アクセスしてユーザの所望とする製品を製造する技術が示されている。また、特許文献２の発明には、商品に消費者が何を追加できるかということやその商品の構成部品の１つにメッセージが付加できるといったことの他に、素材や機能などの選択が可能であることが示されており、消費者のよりきめ細かいニーズに対応できるようにしている。
【０００９】
【特許文献１】
特開２０００−２０５８９号公報
【特許文献２】
特開２００２−２１５７１６号公報
【特許文献３】
特開２００１−２４３２９２号公報
【００１０】
【発明が解決しようとする課題】
このように、消費者の好みに合ったオリジナルデザインを可能とするシステムが従来から幾つか提案されているが、上述の特許文献１、特許文献２、特許文献３を含む従来のシステムは、主に商品の形状や素材など見た目のデザインをそれぞれの消費者の好みに合わせるというものである。すなわち、ハードウエア要素の特注であるのが一般的であるため、消費者の特注した素材や形状によっては、コストに大きく影響を与える場合もあり、また、製造日数もかかるといった問題もある。
【００１１】
一方、最近の消費者の傾向はハードウエア的なオリジナリティを求めるだけではなく、ソフトウエア的なオリジナリティの要求も高い。たとえば、音声メッセージなどの音情報を組み込むことを要求したり、機器の機能を実行するためのプログラムを自分専用に特注することを望む消費者も多いと考えられる。たとえば、消費者の要求に応じて何種類かの音情報をある機器に組み込んだ場合、それぞれの音情報をその消費者の好みに合わせたタイミングで出力させるようなプログラムの作成を特注するといったことの要求も出てくると考えられる。
【００１２】
しかし、上述した特許文献１、特許文献２、特許文献３を含む従来のこの種のシステムにおいて、消費者の好みの音情報を特注要素として受け入れたり、その音情報を動作させるプログラム消費者の好みに合わせることを可能とした特注システムは見受けられない。
【００１３】
確かに、音声メッセージなどの出力が可能な時計や玩具などは従来から多種存在するが、これは、製造者側で予め用意した音声メッセージなどが製造メーカ側で設定された所定のタイミングで出力されるものであり、諸費者の好みの音情報を特注で商品に埋め込めるようにしたり、その音情報を出力させるタイミングを制御するプログラムを消費者の好みに合わせて作成可能とするものではない。
【００１４】
そこで本発明は、特注要素としての音情報の出力制御を行う音情報制御プログラムを前記消費者の指定した条件に基づいて作成して特注商品である機器内に組み込むことにより、消費者の所望とするタイミングで所望とする音情報を出力可能とした特注商品作成システムおよび特注商品作成処理プログラムならびに特注要素としての音情報を記録した機器を提供することを目的としている。
【００１５】
【課題を解決するための手段】
上述した目的を達成するために、本発明の特注商品作成システムは、ある商品に付加価値を持たせるための要素としての音情報を、消費者側からの発注内容に基づいて当該商品に付加してなる特注商品を作成し、作成された特注商品を当該消費者に提供可能とする特注商品作成システムであって、前記特注商品を受注する特注商品受注側は、前記消費者の指定した条件に基づいて前記音情報の出力タイミングの制御を行う音情報制御プログラムを作成し、その音情報制御プログラムを当該特注商品に組み込むようにしている。
【００１６】
このような特注商品作成システムにおいて、前記消費者の指定した条件は、前記特注商品が時刻情報を取得、保持、出力可能な機能のうちの少なくとも１つの機能を有する場合にあっては、ある日付のある時刻にどのような音情報を出力させるか、ある曜日のある時刻にどのような音情報を出力させるか、日ごとのある時刻にどのような音情報を出力させるかであり、前記特注商品が自然現象や物理現象を検知可能なセンサを有する場合にあっては、これら自然現象や物理現象を示す値がある条件を満たしたときにどのような音情報を出力するかであって、これらの各条件の少なくとも１つを設定可能としている。
【００１７】
また、この特注商品作成システムにおいて、前記音情報は、前記消費者がその音情報の指定後にその音情報を試聴可能としている。
【００１８】
また、この特注商品作成システムにおいて、前記消費者の指定した条件が複数存在し、かつ、それぞれの条件の音情報出力タイミングが同日の同時刻となるときは、発生頻度の少ない条件の音情報出力タイミングを優先し、その音情報出力タイミングに設定された音情報を出力させるようにしている。
【００１９】
また、この特注商品作成システムにおいて、前記特注商品受注側は、前記特注商品を受注するための特注商品受注サイトとしての機能を有するサーバと、前記消費者側から音情報出力タイミングを指定する情報とそのときに出力すべき音情報の設定がなされると、その音情報の出力タイミングを制御する音情報制御プログラムを生成する音情報制御プログラム作成手段と、前記消費者が指定した音情報に対応する音データを生成する音データ生成部と、前記音情報制御プログラム作成手段で作成された音情報制御プログラムと前記音データ生成手段で生成された音データとを当該特注商品に設けられた記憶手段への書き込みデータとして出力する書き込みデータ出力手段とを有している。
【００２０】
また、本発明の特注商品作成処理プログラムにおいて、ある商品に付加価値を持たせるための要素としての音情報を、消費者側からの発注内容に基づいて当該商品に付加してなる特注商品を作成し、作成された特注商品を当該消費者に提供可能とする特注商品作成処理プログラムであって、その特注商品作成処理プログラムは、前記特注商品の発注を行うに必要なデータの入力を可能とする発注データ入力表を前記消費者に提示する手順と、この発注データ入力表に対し、前記消費者によって音情報出力タイミングを指定する情報とそのときに出力すべき音情報の設定がなされると、その音情報の出力タイミングを制御する音情報制御プログラムを作成して、その音情報制御プログラムと前記音情報を当該特注商品に設けられた記憶手段に記憶させる手順とを含むものである。
【００２１】
このような特注商品作成処理プログラムにおいて、前記消費者の指定した条件は、前記特注商品が時刻情報を取得、保持、出力可能な機能のうちの少なくとも１つの機能を有する場合にあっては、ある日付のある時刻にどのような音情報を出力させるか、ある曜日のある時刻にどのような音情報を出力させるか、日ごとのある時刻にどのような音情報を出力させるかであり、前記特注商品が自然現象や物理現象を検知可能なセンサを有する場合にあっては、これら自然現象や物理現象を示す値がある条件を満たしたときにどのような音情報を出力するかであって、これらの各条件の少なくとも１つを設定可能としている。
【００２２】
また、この特注商品作成処理プログラムにおいて、前記音情報は、前記消費者がその音情報の指定後にその音情報を試聴可能としている。
【００２３】
また、この特注商品作成処理プログラムにおいて、前記消費者の指定した条件が複数存在し、かつ、それぞれの条件の音情報出力タイミングが同日の同時刻となるときは、発生頻度の少ない条件の音情報出力タイミングを優先し、その音情報出力タイミングに設定された音情報を出力させるようにしている。
【００２４】
また、本発明の特注要素としての音情報を記録した機器は、ある商品に付加価値を持たせるための要素としての音情報を、消費者側からの発注内容に基づいて当該商品に付加してなる特注要素としての音情報を記録した機器であって、前記消費者の設定した音情報とその音情報の出力タイミングを制御する音情報制御プログラムを記録する記憶手段と、前記音情報の出力タイミングを検出する音情報出力タイミング検出手段と、この音情報出力タイミング検出手段によって得られたタイミングで前記記憶手段から読み出された音情報を音信号として出力する音信号生成手段と、この音信号生成手段で生成された音信号を音として出力する音出力手段とをその構成要素に含んでいる。
【００２５】
このように、本発明の特注商品作成システムおよび特注商品作成処理プログラムは、特注商品を受注する特注商品受注側では、消費者の指定した条件に基づいて音情報の出力タイミングを制御する音情報制御プログラムを作成し、それを当該特注商品に組み込むようにしているので、どのようなタイミングでどのような音情報を出力させるかを消費者が指定することができ、しかも、その音情報は消費者の好みの音情報とすることができる。これによって、従来の形状や素材といったハードウエア的な特注だけではなく、音といったソフトウエア的な要素を特注要素として用いることができ、かつ、その出力タイミングを制御するプログラムまでを消費者が指定することができるので、消費者にとって価値の高い唯一無二の商品とすることができる。また、形状や素材を特注要素とする場合に比べ、製品コストに大きな影響を与えることはなく、コストを低く抑え、かつ、付加価値の高い商品とすることができることも大きな特徴である。
【００２６】
また、特注商品が時刻情報を取得、保持、出力可能な機能のうちの少なくとも１つの機能を有する場合は、ある日付のある時刻にどのような音情報を出力させるか、ある曜日のある時刻にどのような音情報を出力させるか、日ごとのある時刻にどのような音情報を出力させるかなどの条件を消費者が指定することができ、しかも、これらの条件を複数設定できるので、たとえば、家族全員の誕生日や特別な記念日にそれぞれの好みの音楽や音声メッセージを出力させるようにしたり、毎日、決まった時刻に好みの音楽を鳴らすといったことができる。
【００２７】
また、特注商品が自然現象や物理現象を検知可能なセンサを有する場合は、これら自然現象や物理現象を示す値がある条件を満たしたときにどのような音情報を出力させるかを設定できるので、たとえば、温度、湿度、気圧などがある設定値に達したときに消費者の所望とする音情報を出力させるようにしたり、光量がある設定値に達すると消費者の所望とする音情報を出力させるようにしたり、加速度センサからの出力がある設定値に達すると消費者の所望とする音情報を出力させるようにすることができるので、いろいろな商品に適用することができる。
【００２８】
また、あるタイミングで出力すべき音情報は、消費者がその音情報の指定後にその音情報を試聴可能としているので、消費者は商品に埋め込まれる音情報が自分の思い通りの音として再現されるか否かを確認することができる。また、受注側からすれば、消費者の承諾を得た上でその音データを特注商品の記憶手段に書き込むので、消費者との間でのトラブルなどが生じるのを防止することができる。
【００２９】
また、消費者の指定した条件が複数存在し、かつ、それぞれの条件の音情報出力タイミングが同日の同時刻となるときは、発生頻度の少ない条件の音情報出力タイミングを優先し、その音情報出力タイミングに設定された音情報を出力させるようにしている。このように、発生頻度のより少ないタイミングを優先することによって、たとえば、１年に１回といった特別な記念日を毎月１回、毎週１回あるいは毎日といった頻度がより多く発生するものよりも、より重要なイベントとしてそれを消費者に知らせることができる。
【００３０】
また、特注商品受注側は、特注商品を受注するための特注商品受注サイトとしての機能を有するサーバと、消費者側から音情報出力タイミングを指定する情報とそのときに出力すべき音情報の設定がなされると、その音情報の出力タイミングを制御する音情報制御プログラムを生成する音情報制御プログラム作成手段と、消費者が指定した音情報に対応する音データを生成する音データ生成部と、音情報制御プログラム作成手段で作成された音情報制御プログラムと前記音データ生成手段で生成された音データを当該特注商品に設けられた記憶手段への書き込みデータとして出力する書き込みデータ出力手段とを持つことによって、本発明の特注商品作成システムを構成することができるので、大掛かりなシステムを構築する必要がない。
【００３１】
また、本発明の特注要素としての音情報の記録が可能な機器は、消費者の設定した音情報とその音情報の出力タイミングを制御する音情報制御プログラムを記録する記憶手段と、音情報の出力タイミングを検出する音情報出力タイミング検出手段と、この音情報出力タイミング検出手段によって得られたタイミングで記憶手段から読み出された音情報を音信号として出力する音信号生成手段と、この音信号生成手段で生成された音信号を音として出力する音出力手段とをその構成要素に含むだけで、消費者の好みの音情報を消費者の所望とするタイミングで出力可能とする機器とすることができる。
【００３２】
このように、本発明の特注要素としての音情報の記録が可能な機器は、その機器が本来有している構成要素に幾つかの構成要素を付加するだけで構成でき、機器の価格に大きな影響を与えることはない。また、本発明の特注要素としての音情報の記録が可能な機器は、形状や素材といったハードウエア的な要素だけではなく、音といったソフトウエア的な要素を特注要素として用いることができるとともに、その音情報を出力するタイミングを制御するプログラムまでを消費者が指定することができるので、消費者にとって価値の高い唯一無二の商品とすることができる。また、形状や素材を特注要素とする場合に比べ、製品コストに大きな影響を与えることはなく、コストを低く抑え、かつ、付加価値の高い商品とすることができる。
【００３３】
【発明の実施の形態】
以下、本発明の実施の形態について説明する。なお、この実施の形態で説明する内容は、本発明の特注商品作成システム、特注商品作成処理プログラム、特注要素としての音情報を記録した機器についての説明を含むものである。
【００３４】
図１は本発明の実施形態に係る特注商品作成システムであり、その構成要素を大きく分けると、特注商品を発注する特注商品発注側１と特注商品を受注する特注商品受注側２と両者の間に介在されるネットワーク３とで構成される。
【００３５】
この図１において、特注商品発注側（以下では単に発注側という）１は、いわゆる消費者であり、ここでの消費者とはこの特注商品作成システムを利用して、ある特注商品を発注し購入しそれを自分で使用する人は勿論のこと、その特注商品をプレゼント用などの目的で購入し自分では使用しない人や、その特注商品をプレゼントされて使用する人も含むものである。
【００３６】
また、特定商品受注側（以下では単に受注側という）２は、いわゆる商品を製造する製造メーカ側であるが、その製造メーカの販売部門やその製造メーカで製造した商品の販売を代理して行う販売代理店さらにはサービスセンタなども含めて受注側２という。
【００３７】
発注側１としての消費者は、自分のパーソナルコンピュータ（ＰＣという）１１や携帯電話機１２を用い、インタネットによって受注側２に対して特注商品の発注を行うことができるようになっている。なお、この実施形態では、消費者は自分のＰＣ１１を用いて発注するものとする。
【００３８】
一方、受注側２は、消費者からの注文を受け付ける役目をなす特注商品受注サイトの機能を有するサーバ２１、前記消費者側から音情報出力タイミングを指定する情報とそのときに出力すべき音情報の設定がなされると、その音情報の出力タイミングを制御する音情報制御プログラムを作成する音情報制御プログラム作成部２２と、前記消費者が指定した音情報に対応する音データを生成する音データ生成部２３と、前記音情報制御プログラム作成手段２２で作成された音情報制御プログラムと前記音データ生成部２３で生成された音データを当該特注商品に設けられた記憶部（ＲＯＭ）への書き込みデータとして出力する書き込みデータ出力部２４と、消費者からの受注内容などの確認のための受注請け書などを必要に応じて印刷する印刷部２５などを有する。
【００３９】
なお、上述の特注商品に設けられた記憶部というのは、特注商品についての構成を説明するための図６に示されている記憶部６１に相当するもので、この記憶部６１としては、たとえば、フラッシュメモリやマスクＲＯＭなどが用いられる。
【００４０】
また、この特注商品に埋め込むことのできる音情報は特に限定されるものではないが、たとえば、受注側で用意された多数の音情報（音楽や音声メッセージやそれ以外の音など多種類の音情報）の中から消費者が好みの音を選択するようにしてもよく、また、消費者側で用意した音情報（たとえば、ある特定の人の発話する音声メッセージ）であったり、音声メッセージ以外の音など、その消費者の好みあるいは思い入れのある音でであってもよく、また、受注側で用意した音情報と消費者が準備した音の両方を用いてもよい。なお、これら音情報は複数種類の音情報を１つの特注商品に埋め込むことができる。
【００４１】
図２は本発明の特注商品作成システムにおいて、消費者が受注側２の特注商品受注サイトにアクセスして、その消費者がその製造メーカの会員としての登録を行う会員登録手順と、会員としての登録後における発注手順（発注データ入力用画面を自分のＰＣ１１に表示させるまでの手順）を説明する図である。
【００４２】
この図２において、消費者が製造メーカの特注商品受注サイト（図１に示すサーバ２１）にアクセスすると（ステップＳ１）、その消費者に新規登録か否かを聞いて（ステップＳ２）、新規登録であれば、会員としての登録を希望するか否かを聞き（ステップＳ３）、登録を希望しなければそこで処理を終了し（ステップＳ４）、登録を希望すれば、会員としての登録手続きを行って（ステップＳ５）、その登録手続きは終了する（ステップＳ６）。
【００４３】
このように、会員としての登録をしておくと、その消費者に対し受注側２からは特注商品を含む様々な商品情報が通知されるなどの特典が得られる。なお、その消費者はその時点で特注商品の購入予定がなければ商品情報待ちの状態となる（ステップＳ７）。
【００４４】
一方、その消費者がすでに会員登録済みである場合は、特注商品を購入するか否かを聞いて（ステップＳ８）、購入予定がなければそこで処理を終了し（ステップＳ４）、特注商品を購入する予定であれば、過去に購入実績があるか否かを聞いて（ステップＳ９）、購入実績がなければ、新規発注画面を作成するための新規発注画面作成用データをその消費者宛（この場合、その消費者のＰＣ１１宛）に送信する（ステップＳ１０）。これによって、その消費者のＰＣ１１の画面は、新規発注データの入力が可能な新規発注画面となる。
【００４５】
また、ステップＳ９において、過去に購入実績がある場合には、今回の購入予定商品は前回の購入商品の追加発注であるか否かを聞いて（ステップＳ１１）、追加発注でなければ、新たな商品の購入であるとして、新規発注画面を作成するための新規発注画面作成用データをその消費者宛（この場合、その消費者のＰＣ１１宛）に送信する（ステップＳ１０）。これによって、その消費者のＰＣ１１の画面は、新規発注データの入力が可能な新規発注画面となる。
【００４６】
また、ステップＳ１１において、追加発注である場合には、前回の購入内容（特注内容）に変更があるか否かを聞いて（ステップＳ１２）、変更があれば、変更発注画面作成用データをその購入者宛に送信する（ステップＳ１３）。これによって、その消費者のＰＣ１１の画面は、変更発注データの入力が可能な変更発注画面となる。
【００４７】
また、ステップＳ１２において、変更なしの場合には、追加発注画面作成用データをその購入者宛に送信する（ステップＳ１４）。これによって、その消費者のＰＣ１１の画面は、追加発注データの入力が可能な追加発注画面となる。
【００４８】
ここで今、ある消費者が受注側２の特注商品注文サイトに自分のＰＣ１１からアクセスしたとする。この消費者はすでに当該製造メーカに会員登録済みの消費者であるが、これまでの購入実績はまだ無いものとする。
【００４９】
したがって、図２のフローチャートにおいては、ステップＳ１からステップＳ２，Ｓ８、Ｓ９，Ｓ１０といった手順で処理が進み、それによって、その消費者のＰＣ１１は、新規発注用画面となり、その新規発注画面から、その消費者がその新規発注画面に表示された内容に沿って、新規購入に必要なデータを順次入力し、そのあと、消費者によって条件設定要求がなされると、消費者のＰＣ１１には図４に示すような条件設定画面４０、すなわち、消費者の所望とする音情報をどのようなタイミングのときに特注商品から出力させるかの音情報出力のための条件設定を行うための条件設定画面４０が表示される。
【００５０】
このような条件設定画面４０が表示されると、消費者はその画面上でどのようなタイミングでどのような音情報を出力させるかの条件設定を行うことができるが、これについては後述する。
【００５１】
図３は本発明の全体的な処理手順をおおまかに説明するフローチャートであり、後に説明する条件設定画面４０によって、音情報をどのようなタイミング（ある日付のある時刻・ある曜日のある時刻・日ごとのある時刻など）で出力させるかの音情報の出力タイミング設定を行うとともに、そのタイミングにおいて出力させる音情報をどれにするかの音情報設定を行い（ステップＳ２１，Ｓ２２）、これら設定したタイミングと音情報の確認を行って（ステップＳ２３）、設定内容に修正があるか否かを判断し（ステップＳ２４）、修正がなければ、それ以外の追加要素（設定すべき音情報やその条件設定）があるか否かを確認して、追加しない場合には、処理を終了し、追加したければステップＳ２１に戻る。また、ステップＳ２４において、修正がある場合もステップＳ２１に戻る。
【００５２】
図４は消費者のＰＣに表示された条件設定画面４０の一例を示すもので、この図４を参照しながら条件設定の具体例について説明する。ここでは、たとえば、消費者が購入しようとする特注商品としては置時計であるとし、その置時計に、２人の子供（子供Ａ、子供Ｂとする）の誕生日（子供Ａは１月１０日、子供Ｂは１２月１０日であるとする）のある時刻（それぞれ午前８時００分とする）にそれぞれの誕生日にふさわしい音楽を鳴らすような設定を行い、また、毎週日曜日の午前８時００分には、家族の好みの音楽を鳴らすような設定を行う例について説明する。
【００５３】
図４に示す条件設定画面４０の内容としては、条件設定画面４０上に出力タイミング設定用のプルダウンメニュー４１が表示され、そのプルダウンメニュー４１から、まず、月日の項目を選択すると、条件設定画面４０の月・日・曜日・時・分設定部４２のうち、月・日入力部４２１が有効となり、その月・日入力部４２１からこの場合、子供Ａの誕生日である１月１０日を設定する。次に、プルダウンメニュー４１から時刻の項目を選択すると、時・分入力部４２２が有効となり、この場合、８時００分（２４時間制による設定とする）を設定する。
【００５４】
そして、音源選択操作部４３をクリックすると、図５に示すような音源設定画面５０が表示され、この音源設定画面５０から１月１０日の８時００分に鳴らす音源を設定する。この音源設定画面５０には、音源の選択が可能な音源選択部５１があり、スクロールバー５１ａを操作することによって、色々な音源が音源表示欄５１１にスクロール表示されるようになっている。
【００５５】
そして、その中から、消費者の所望とする音源（この場合は、子供の誕生日に鳴らす音楽であるので、それにふさわしい音楽とする）を選択すると、その選択された音楽（これを音楽Ｍ１とする）が名称表示欄５２に表示され、その音楽Ｍ１に対する説明が説明欄５３に表示される。この説明欄５３には、選択された音楽についての説明として、たとえば、使用する音源が有料である場合にはその旨を示す表示などがなされる。ここで、選択した音源を試聴する場合には、試聴操作部５４をクリックすることによって試聴できるようになっている。そして、試聴した結果、その音源でよければ、ＯＫ操作部５５をクリックする。
【００５６】
なお、受注側２で用意された音源（音源選択部５１に存在する音源）以外の音源を使いたい場合は、新規登録操作部５６をクリックすることによって、その消費者が自分で用意した独自の音源を設定することもできる。たとえば、子供の誕生日であれば、子供への音声メッセージなどの設定も可能である。
【００５７】
上述のＯＫ操作部５５が押されると、画面は図４の条件設定画面４０に戻り、これまでの操作によって設定された内容が設定内容表示欄４４に表示される。この場合、１月１０日・８時００分とそのときに鳴らす音源（音楽名）が「音楽Ｍ１」というように表示される。
【００５８】
続いて、もう一人の子供Ｂの誕生日の月日、時刻、そのときに鳴らす音楽を設定する。この場合も上述同様、プルダウンメニュー４１から、まず、月日の項目を選択し、子供Ｂの誕生日である１２月１０日を設定し、続いて、プルダウンメニュー４１から時刻の項目を選択し、所望とする時刻として、たとえば、８時００分を設定する。
【００５９】
そして、音源選択操作部４３をクリックすると、図５の音源設定画面５０が表示され、この音源設定画面５０から１２月１０日の８時００分に鳴らす音源（音楽Ｍ２とする）を選択する。この場合も、その選択した音楽Ｍ２を試聴する場合には、試聴操作部５４をクリックし、その音楽Ｍ２でよければ、ＯＫ操作部５５をクリックする。これによって、画面は図４の条件設定画面４０に戻り、設定された内容が設定内容表示欄４４に表示される。この場合、１２月１０日・８時００分とそのときに鳴らす音源（音楽名）が「音楽Ｍ２」というように表示される。
【００６０】
続いて、毎週日曜日の午前８時００分に家族の好みの音楽を鳴らすような設定を行う。この場合も、上述同様、図４の条件設定画面４０によってその設定を行う。この場合、プルダウンメニュー４１から、曜日の項目を選択する。それによって、条件設定画面４０の月・日・曜日・時・分設定部４２のうち、曜日入力部４２３が有効となり、その曜日入力部４２３からこの場合、日曜日を設定する。次に、プルダウンメニュー４１から時刻の項目を選択すると、時分入力部４２２が有効となり、この場合、８時００分を設定する。
【００６１】
そして、音源選択操作部４３をクリックすると、図５に示すような音源設定画面５０が表示され、この音源設定画面５０から毎週日曜日の午前８時００分に鳴らす音源を設定する。この音源設定画面５０の音源選択部５１から消費者の所望とする音源（この場合は、毎週日曜日に鳴らす音楽であるので、それにふさわしい音楽であり、それを音楽Ｍ３とする）を選択すると、その選択された音楽Ｍ３の音楽名が名称表示欄５２に表示される。そして、その選択した音源を試聴する場合には、試聴操作部５４をクリックし、実際に試聴した結果、その音源でよければ、ＯＫ操作部５５をクリックする。
【００６２】
これによって、消費者のＰＣ１１の画面は再び図４の条件設定画面４０に戻り、設定された内容が設定内容表示欄４４に表示される。この場合、日曜日・８時００分とそのときに鳴らす音源（音楽名）が「音楽Ｍ３」というように表示される。
【００６３】
ここで、それ以上の  設定を行わなければ、登録操作部４５をクリックすることによって、設定内容表示欄４４に表示された内容の登録がなされる。
【００６４】
なお、登録操作部４５をクリックする前に、これまでに行った設定内容（設定内容表示欄４４に表示された内容）を変更したり新たに追加したりすることもできる。
【００６５】
たとえば、修正したい場合には、修正操作部４６をクリックすることによって、すでに設定した内容を修正することができる。この修正処理は、図３のフローチャートの修正があるかの判断（ステップＳ２４）において、修正ありの場合であり、その場合は、ステップＳ２１に戻り、図４に示す条件設定画面４０上で修正処理が可能となる。ここで、日時のみの修正であれば、月日・曜日・時刻などの修正を行い、この時点で終了操作部４７をクリックする。さらに、音源の修正を行う場合は、音源選択操作部４３をクリックすると、図５の音源設定画面５０に切り替わり、この音源設定画面５０から音源の修正を行うことができる。そして、修正処理が終了したら終了操作部４７をクリックする。
【００６６】
また、すでに設定した内容にさらに新たな内容（音を鳴らす月日・時間・曜日などとそのときの音源）を追加したい場合には、追加操作部４８をクリックすることによって、新たな内容を追加することができる。この追加処理は、図３のフローチャートの追加があるかの判断（ステップＳ２５）において、追加ありの場合であり、その場合も、ステップＳ２１に戻り、図４に示す条件設定画面４０上で追加処理が可能となる。ここで、新たに追加したい月日・曜日・時刻を入力し、音源選択操作部４３をクリックすると、図５の音源設定画面５０に切り替わり、この音源設定画面５０から新たな音源の内容など追加設定することができる。そして、追加処理が終了したら終了操作部４７をクリックする。
【００６７】
以上のような処理（図３のステップＳ２１〜Ｓ２５）を終了すると、消費者はＰＣ１１に表示された図４の条件設定画面４０の設定内容表示欄４４の内容を確認し、それでよければ、登録操作部を４５クリックする。これによって、ＰＣ１１に表示された条件設定画面４０の設定内容表示欄４４の内容が登録される。
【００６８】
この例では、図４の設定内容表示欄４４に示されるように、１番：１月１０日・８：００・「音楽Ｍ１」、２番：１２月１０日・８：００・「音楽Ｍ２」、３番：日曜日・８時００分・「音楽Ｍ３」というような設定内容となる。
【００６９】
そして、この図４の設定内容表示欄に表示された設定内容に基づいて音情報制御プログラムを音情報制御プログラム作成部２２によって作成するとともに消費者の選択した音情報に対する音データを音データ生成部２３で生成し、その音情報制御プログラムと音データを書き込みデータとして書き込みデータ出力部２４から出力して、図６に示すような構成要素を有する置時計の記憶部６１に書き込む。
【００７０】
これによって、その置時計は、子供Ａの誕生日である１月１０日の午前８時００分になると音楽Ｍ１が流れ、子供Ｂの誕生日である１２月１０日の午前８時００分になると音楽Ｍ２が流れる。また、毎週日曜日には午前８時００分になると音楽Ｍ３が流れるというような動作を行う。
【００７１】
図６は特注商品としての機器の構成を説明する図である。この図６では本発明の説明に必要な構成要素のみが示され、その機器そのものの構成について図示を省略してある。たとえば、機器が置時計計であれば、置時計そのものの構成についての図示は省略されており、この発明の説明に必要な構成要素として、消費者が設定した音情報とその音情報の出力タイミングを制御する音情報制御プログラムを記録するフラッシュメモリなどの記憶部６１と、音情報の出力タイミングを検出する音情報出力タイミング検出部６２と、この音情報出力タイミング検出部６２によって得られたタイミングで前記記憶手段から読み出された音情報を音信号として出力する音信号生成部６３と、この音信号生成部６３で生成された音信号を音として出力するスピーカなどの音出力部６４、これら記憶部６１、音情報出力タイミング検出部６２、音信号生成部６３などを制御する制御部６５などを有している。
【００７２】
なお、このような特注商品を消費者が購入したあと、その消費者が設定を変更したり追加したりしたい場合も出てくる。このような場合は、その設定変更や追加の仕方を消費者が行えるように設定変更・追加の仕方を消費者に公開するようにしておくと、諸費者側で設定変更・追加蛾可能となるので便利であるが、個々の消費者によってこの種の機器の取り扱い方の慣れの度合いに大きな差があることを考慮し、受注側のサービスとして設定変更・追加を行うことができるようにする。
【００７３】
ところで、上述の例においては、１番、２番、３番の３種類の設定がなされている。この３種類のうち、１番目と３番目は同じ時刻の設定（８時００分）であっても月日が異なるので両者の音情報出力タイミングが重なることはないが、２番目は毎週日曜日の８時００分という設定であるため、１番目と２番目の音情報出力タイミングが重なることがあり得る。すなわち、１月１０日が日曜日であると、１番目と２番目の音情報出力タイミングが重なることになる。同様に、１２月１０日が日曜日であっても、３番目と２番目の音情報出力タイミングが重なることになる。
【００７４】
このような場合は、発生頻度の少ない設定を優先するというような決まりを設けておく。たとえば、１月１０日が日曜日である場合には、その日の８時００分は、子供Ａの誕生日のために設定された音楽Ｍ１が出力されるタイミングであるとともに毎週日曜日の音楽Ｍ３が出力されるタイミングでもある。しかし、このような場合は、発生頻度の少ない１月１０日の設定を優先し、この場合、音楽Ｍ１を流すようにする。同様に、１２月１０日が日曜日である場合にも、発生頻度の少ない１２月１０日の設定を優先し、この場合、子供Ｂの誕生日のための音楽名Ｍ２を流すようにする。
【００７５】
以上説明したように、この実施形態によれば、消費者は購入しようとする商品に対する特注要素としての音情報をどのようなタイミングで出力させるかを自分のＰＣ１１の画面上で設定することができる。上述の例では、図４に示されるように、１番：１月１０日・８時００分・「音楽Ｍ１」、２番：１２月１０日・８時００分・「音楽Ｍ２」、３番：日曜日・８時００分「音楽Ｍ３」というような設定内容となる。消費者がこのような設定を行うと、受注側２では、当該消費者の購入しようとする置時計に、図４の設定内容表示欄４４に表示された設定内容に基づいた音情報制御プログラムを作成し、その音情報制御プログラムを音情報とともに組み込み、それを当該消費者に特注商品として提供する。
【００７６】
これによって、その置時計は、子供Ａの誕生日である１月１０日の午前８時００分になると音楽Ｍ１が流れ、子供Ｂの誕生日である１２月１０日の午前８時００分になると音楽Ｍ２が流れる。また、毎週日曜日には午前８時００分になると音楽Ｍ３が流れる。
【００７７】
このように、たとえば、何月何日、何曜日、何時というような消費者の所望とする日時に所望とする音情報（上述の例では音楽）を出力させることができ、従来の形状や素材などのハードウエア的な特注要素だけではなく、音とそれをどのようなタイミングで出力させるかといった動作プログラム（音情報を出力させる制御を行う音情報制御プログラム）までを特注要素とすることができ、個々の消費者の所望とする動作を行うオリジナル商品を作成することができる。
【００７８】
なお、本発明は上述の実施形態に限られるものではなく、本発明の要旨を逸脱しない範囲で種々変形実施可能となるものである。たとえば、上述の実施形態では、受注側で用意した音情報の中から消費者の所望とする音情報（実施形態では音楽）を選択するようにしたが、受注側で用意した以外の音情報を用いることができるようにしてもよい。たとえば、前述の実施形態でも触れたが、消費者が用意した音声メッセージやそのほかの一般的な音（特に消費者の思い入れのある音など）を用いることができるようにしてもよい。
【００７９】
また、上述の実施形態では特注商品として置時計を例にしたが、置時計に限られるものではなく、置時計以外の腕時計や掛け時計などの時計、時計以外にも、たとえば、玩具など幅広い分野に適用することができる。
【００８０】
また、上述の実施形態では、音情報の出力タイミングとしては、日時の情報として、たとえば、何月何日の何時と何曜日の何時というような設定であったが、これに限られるものではなく、たとえば、第１月曜日の何時という設定、月々の５の日の何時というような設定、さらに、毎日午前７時３０分というような設定なども可能であることは勿論である。
【００８１】
また、日付や時刻情報だけでなく、温度センサ、湿度センサ、気圧センサなどの自然現象を検知する各種センサの設けられている商品であれば、温度、湿度、気圧などの変化を検知してある設定値となったときにある決められた音情報を出力させるようにすることもできる。また、このほか、光センサ、加速度センサなど物理現象を検知する各種センサなどを持つ商品であれば、これらそれぞれのセンサ出力がある設定値に達すると、ある決められた音情報を出力させるような設定とすることもできる。
【００８２】
また、本発明は以上説明した本発明を実現するための処理手順が記述された処理プログラムを作成し、その処理プログラムをフロッピィディスク、光ディスク、ハードディスクなどの記録媒体に記録させておくこともでき、本発明は、その処理プログラムの記録された記録媒体をも含むものである。また、ネットワークから当該処理プログラムを得るようにしてもよい。
【００８３】
【発明の効果】
以上説明したように本発明によれば、本発明の特注商品作成システムおよび特注商品作成処理プログラムは、特注商品を受注する特注商品受注側では、消費者の指定した条件に基づいて音情報の出力タイミングを制御する音情報制御プログラムを作成し、それを当該特注商品に組み込むようにしているので、どのようなタイミングでどのような音情報を出力させるかを消費者が指定することができ、しかも、その音情報は消費者の好みの音情報とすることができる。
【００８４】
これによって、従来の形状や素材といったハードウエア的な特注だけではなく、音といったソフトウエア的な要素を特注要素として用いることができ、かつ、その出力タイミングを制御するプログラムまでを消費者が指定することができるので、消費者にとって価値の高い唯一無二の商品とすることができる。また、形状や素材を特注要素とする場合に比べ、製品コストに大きな影響を与えることはなく、コストを低く抑え、かつ、付加価値の高い商品とすることができることも大きな特徴である。
【００８５】
また、本発明の特注要素としての音情報の記録が可能な機器は、消費者の設定した音情報とその音情報の出力タイミングを制御する音情報制御プログラムを記録する記憶手段と、音情報の出力タイミングを検出する音情報出力タイミング検出手段と、この音情報出力タイミング検出手段によって得られたタイミングで記憶手段から読み出された音情報を音信号として出力する音信号生成手段と、この音信号生成手段で生成された音信号を音として出力する音出力手段とをその構成要素に含むだけで、消費者の好みの音情報を消費者の所望とするタイミングで出力可能とする機器とすることができる。
【００８６】
このように、本発明の特注要素としての音情報の記録が可能な機器は、その機器が本来有している構成要素に幾つかの構成要素を付加するだけで構成でき、機器の価格に大きな影響を与えることはない。また、本発明の特注要素としての音情報の記録が可能な機器は、形状や素材といったハードウエア的な要素だけではなく、音といったソフトウエア的な要素を特注要素として用いることができるとともに、その音情報を出力するタイミングを制御するプログラムまでを消費者が指定することができるので、消費者にとって価値の高い唯一無二の商品とすることができる。また、形状や素材を特注要素とする場合に比べ、製品コストに大きな影響を与えることはなく、コストを低く抑え、かつ、付加価値の高い商品とすることができる。
【図面の簡単な説明】
【図１】本発明の実施形態に係る特注商品作成システムの構成を説明する図である。
【図２】本発明の実施形態に係る特注商品作成処理手順を説明するフローチャートであり、受注側の特注商品受注サイトにアクセスして消費者が会員としての登録を行う会員登録手順と、会員としての登録後における発注処理（発注データ入力画面を自分の携帯電話機に表示させるまでの処理）手順を説明するフローチャートである。
【図３】本発明の実施形態に係る特注商品作成処理手順を説明する図であり、どのようなタイミングでどのような音情報を出力させるかの条件設定を行うための処理手順を示すフローチャートである。
【図４】図３の条件設定を行うための条件設定画面の表示例を示す図である。
【図５】図４の条件設定画面において音源選択操作を行ったときの音源設定画面の表示例を示す図である。
【図６】本発明の実施形態に係る特注要素としての音情報を記録した機器の要部の構成図である。
【符号の説明】
１  特注商品発注側（消費者側）
２  特注商品受注側
３  ネットワーク
１１  パーソナルコンピュータ（ＰＣ）
１２  携帯電話機
２１  サーバ
２２  音情報制御プログラム作成部
２３  音データ生成部
２４  書き込みデータ出力部
２５  印刷部
４０  条件設定画面
４１  プルダウンメニュー
４２  月・日・曜日・時・分設定部
４２１  月・日設定部
４２２  時・分設定部
４２３  曜日設定部
４３  音源選択操作部
４４  設定内容表示欄
４５  登録操作部
５０  音源設定画面
５１  音源選択部
５５１  音源表示欄
５２  名称表示欄
５３  説明欄
５４  試聴操作部
５５  ＯＫ操作部
５６  新規登録操作部
６１  記憶部（ＲＯＭ）
６２  音情報出力タイミング検出部
６３  音信号生成部
６４  音出力部（スピーカ）
６５  制御部
【図１】
2004240677.tif 000003
【図２】
2004240677.tif 000004
【図３】
2004240677.tif 000005
【図４】
2004240677.tif 000006
【図５】
2004240677.tif 000007
【図６】
2004240677.tif 000008